(57)【特許請求の範囲】
【請求項１】
１２相整流用トランスのΔ結線とＹ結線との２系統から供給される交流電圧を直流電圧に変換するコンバータ回路部と、
前記コンバータ回路部に接続されている直流母線の電流を検出する電流検出部と、
前記Δ結線側または前記Ｙ結線側に接続され、接続されている結線に欠相が生じているかどうかを検出する欠相検出部と、
前記欠相検出部により検出された検出信号と、前記電流検出部により検出された前記直流母線の電流値とに基づいて、前記Δ結線に欠相が生じている、または前記Ｙ結線に欠相が生じていることが検出された場合には、前記Δ結線または前記Ｙ結線に欠相が生じていることを判断する判断部と、
前記判断部の判断結果に基づいて、前記Δ結線または前記Ｙ結線に欠相が生じていることを出力する出力部と、
を備えることを特徴とするコンバータ装置。
【請求項２】
前記判断部は、前記欠相検出部により検出された検出信号と、前記電流検出部により検出された前記直流母線の電流値とに基づいて、前記Δ結線および前記Ｙ結線に欠相が生じていないことを判断し、
前記出力部は、前記判断部により前記Δ結線および前記Ｙ結線に欠相が生じていないことが判断された場合、前記Δ結線および前記Ｙ結線に欠相が生じていないことを出力する請求項１記載のコンバータ装置。
【請求項３】
前記判断部は、前記電流検出部により検出された前記直流母線の電流値の周期が電源周波数の１２倍になっていない場合には、前記欠相検出部により検出された検出信号に基づいて、前記Δ結線または前記Ｙ結線に欠相が生じていることを判断する請求項１記載のコンバータ装置。
【発明の詳細な説明】
【技術分野】
【０００１】
本発明は、交流電圧を直流電圧に変換するコンバータ装置に関する。
【背景技術】
【０００２】
コンバータ装置は、交流系統への高調波の流出を抑制するために、１２相整流用トランスにより構成される場合がある。１２相整流用トランスは、一次側をＹ結線とし、二次側をΔ結線とＹ結線とで構成する場合と、一次側をΔ結線とし、二次側をΔ結線とＹ結線とで構成する場合とがある。１２相整流用トランスは、二次側において、３０度の位相差の三相交流を生成して、全波整流することにより１２相整流を行う（特許文献１を参照）。
【先行技術文献】
【特許文献】
【０００３】
【特許文献１】特開２００８−２９５１５５号公報
【発明の概要】
【発明が解決しようとする課題】
【０００４】
ところで、特許文献１では、欠相が生じた場合、Δ結線側で欠相が生じているのかまたは、Ｙ結線側で欠相が生じているのかを判断することが困難である。【０００５】
本発明は、上記に鑑みてなされたものであって、欠相が生じた場合、Δ結線側で欠相が生じているのかまたは、Ｙ結線側で欠相が生じているのかを出力することができるコンバータ装置を提供することを目的とする。
【課題を解決するための手段】
【０００６】
上述した課題を解決し、目的を達成するために、本発明は、１２相整流用トランスのΔ結線とＹ結線との２系統から供給される交流電圧を直流電圧に変換するコンバータ回路部と、コンバータ回路部に接続されている直流母線の電流を検出する電流検出部と、Δ結線側またはＹ結線側に接続され、接続されている結線に欠相が生じているかどうかを検出する欠相検出部と、欠相検出部により検出された検出信号と、電流検出部により検出された直流母線の電流値とに基づいて、Δ結線またはＹ結線に欠相が生じていることが検出された場合には、Δ結線またはＹ結線に欠相が生じていることを出力する出力部とを備えることを特徴とする。
【発明の効果】
【０００７】
本発明にかかるコンバータ装置は、欠相が生じた場合、Δ結線側で欠相が生じているのかまたは、Ｙ結線側で欠相が生じているのかを出力することができる。
【図面の簡単な説明】
【０００８】
【図１】実施の形態にかかるコンバータ装置の構成図
【図２】実施の形態にかかる欠相検出部の構成図
【図３】実施の形態にかかる判断部による具体的な処理の説明に供するフローチャート
【図４】実施の形態にかかる判断部の動作についての説明に供する図
【図５】実施の形態にかかる欠相検出部がＹ結線側に接続されており、Ｙ結線側が欠相した場合における信号波形を示す図
【図６】実施の形態にかかる欠相検出部がΔ結線側に接続されており、Ｙ結線側が欠相した場合における信号波形を示す図
【図７】実施の形態にかかる欠相検出部がΔ結線側に接続されており、Ｙ結線およびΔ結線に欠相が生じていない場合における信号波形を示す図
【発明を実施するための形態】
【０００９】
以下に、本発明の実施の形態にかかるコンバータ装置を図面に基づいて詳細に説明する。なお、この実施の形態によりこの発明が限定されるものではない。
【００１０】
実施の形態
図１は、実施の形態にかかるコンバータ装置１の構成を示す図である。コンバータ装置１は、１２相整流用トランス２から供給される交流電圧を直流電圧に変換し、変換した直流電圧を出力する。実施の形態では、１２相整流用トランス２の一次側をΔ結線で構成しているが、Ｙ結線で構成されてもよい。
【００１１】
コンバータ装置１は、交流電圧を直流電圧に変換するコンバータ回路部１１と、直流母線の電流を検出する電流検出部１２と、欠相を検出する欠相検出部１３と、欠相が生じているかどうかを判断する判断部１４と、判断結果を出力する出力部１５と、電圧を平滑する平滑コンデンサ１６とを備える。
【００１２】
コンバータ回路部１１は、１２相整流用トランス２のΔ結線とＹ結線との２系統から供給される交流電圧を直流電圧に変換する。コンバータ回路部１１は、Ｙ結線側に接続されるＹ結線コンバータ回路部１１ａと、Δ結線側に接続されるΔ結線コンバータ回路部１１ｂとを備える。
【００１３】
電流検出部１２は、コンバータ回路部１１に接続されている直流母線の電流を検出する。
【００１４】
欠相検出部１３は、Δ結線側またはＹ結線側に接続され、接続されている結線に欠相が生じているかどうかを検出する。本実施の形態では、欠相検出部１３は、Δ結線側に接続される構成により説明するが、Ｙ結線側に接続される構成でもよい。なお、欠相検出部１３の具体的な構成については後述する。
【００１５】
判断部１４は、欠相検出部１３により検出された検出信号と、電流検出部１２により検出された直流母線の電流値とに基づいて、Δ結線またはＹ結線に欠相が生じていることを判断する。さらに、判断部１４は、欠相検出部１３により検出された検出信号と、電流検出部１２により検出された直流母線の電流値とに基づいて、Δ結線および前記Ｙ結線に欠相が生じていないことも判断する。
【００１６】
具体的には、判断部１４は、電流検出部１２により検出された直流母線の電流値の周期が電源周波数ｆの１２倍になっていない場合、すなわち電源周期の２倍になっている場合には、欠相検出部１３により検出された検出信号に基づいて、Δ結線またはＹ結線に欠相が生じていることを判断する。なお、Δ結線およびＹ結線に欠相が生じていない場合には、電流検出部１２により検出された直流母線の電流値の周期は、電源周波数ｆの１２倍になる。
【００１７】
出力部１５は、欠相検出部１３により検出された検出信号と、電流検出部１２により検出された直流母線の電流値とに基づいて、Δ結線またはＹ結線に欠相が生じていることが検出された場合には、Δ結線またはＹ結線に欠相が生じていることを出力する。また、出力部１５は、判断部１４によりΔ結線およびＹ結線に欠相が生じていないことが判断された場合、Δ結線およびＹ結線に欠相が生じていないことを出力する。具体的には、出力部１５は、判断部１４の判断結果に基づいて、Δ結線またはＹ結線に欠相が生じていることまたは、Δ結線およびＹ結線に欠相が生じていないことを出力する。表示部３は、出力部１５の出力に基づいて、Δ結線またはＹ結線に欠相が生じていること、または、Δ結線およびＹ結線に欠相が生じていないことを表示する。
【００１８】
平滑コンデンサ１６は、コンバータ回路部１１により変換された直流電圧のリプル成分を取り除くことにより直流電圧を平滑する。
【００１９】
ここで、欠相検出部１３の具体的な構成について説明する。欠相検出部１３は、図２に示すように、交流電圧を降圧する降圧部２１と、降圧された交流電圧を整流する整流部２２と、信号変換を行うフォトカプラ２３と、フィルタリングを行うフィルタ部２４と、欠相しているか否かを検出する欠相検出部２５とを備える。
【００２０】
降圧部２１は、Δ結線のＲ相、Ｓ相およびＴ相に接続されており、各相から出力されてきた交流電圧を降圧する。
【００２１】
整流部２２は、ダイオードブリッジで構成されており、降圧部２１の出力電圧を全波整流する。
【００２２】
フォトカプラ２３は、発光する発光ダイオード２３ａと、受光するフォトトランジスタ２３ｂとを備える。発光ダイオード２３ａは、整流部２２の出力電圧に基づいて発光する。フォトトランジスタ２３ｂは、発光ダイオード２３ａから出力された光を受光して、電気信号に変換する。
【００２３】
フィルタ部２４は、フォトカプラ２３の動作に基づいて、信号を出力する。欠相検出部２５は、フィルタ部２４から入力された信号に基づいて、Δ結線のＲ相、Ｓ相またはＴ相のいずれかの相に欠相が生じていることを検出した場合には、異常を示すＨ信号を判断部１４に出力する。欠相検出部２５は、フィルタ部２４から入力された信号に基づいて、Δ結線側に欠相が生じていないことを検出した場合には、正常を示すＬ信号を判断部１４に出力する。判断部１４は、欠相検出部２５から入力された信号に基づいて、Δ結線に欠相が生じているかどうかを判断する。
【００２４】
ここで、判断部１４による具体的な処理について、図３に示すフローチャートを用いて説明する。
【００２５】
ステップＳＴ１において、判断部１４は、電流検出部１２により検出された直流母線の電流値の周期が電源周波数ｆの１２倍になっているかどうかを判断する。電源周波数ｆの１２倍になっている場合（Ｙｅｓ）には、本工程を繰り返し、電源周波数ｆの１２倍になっていない場合（Ｎｏ）には、ステップＳＴ２に進む。
【００２６】
ステップＳＴ２において、判断部１４は、欠相検出部１３から入力された信号がＨ信号であるかＬ信号であるかを判断する。Ｈ信号であると判断した場合には、ステップＳＴ３に進み、Ｌ信号であると判断した場合には、ステップＳＴ４に進む。
【００２７】
ステップＳＴ３において、判断部１４は、Δ結線に欠相が生じていると判断する。
【００２８】
ステップＳＴ４において、判断部１４は、Δ結線には欠相が生じておらず、Ｙ結線に欠相が生じていると判断する。
【００２９】
ステップＳＴ５において、判断部１４は、ステップＳＴ３の工程またはステップＳＴ４の工程により判断した結果を出力部１５に出力する。
【００３０】
つぎに、判断部１４の動作について説明する。図４（ａ）は、欠相検出部１３がＹ結線側に接続されている場合の判断部１４による判断結果の全パターンを示す。図４（ｂ）は、欠相検出部１３がΔ結線側に接続されている場合の判断部１４による判断結果の全パターンを示す。なお、図４（ａ）、（ｂ）の欠相検出部１３の項目における「異常（Ｈ）」とは、接続されている結線に欠相が生じており、異常を示すＨ信号が欠相検出部１３から出力されることを意味している。図４（ａ）、（ｂ）の欠相検出部１３の項目における「正常（Ｌ）」とは、接続されている結線に欠相が生じておらず、正常を示すＬ信号が欠相検出部１３から出力されることを意味している。
【００３１】
図４（ａ）、（ｂ）の電流検出部１２の項目における「異常（２ｆ）」とは、電流検出部１２により検出された直流母線の電流値の周期が電源周波数ｆの２倍になっていることを意味する。図４（ａ）、（ｂ）の電流検出部１２の項目における「１２ｆ」とは、電流検出部１２により検出された直流母線の電流値の周期が電源周波数ｆの１２倍になっていることを意味する。
【００３２】
図４（ａ）のＮｏ．１は、Ｙ結線側のＴ１相が欠相した場合を示している。Ｎｏ．１の場合、欠相検出部１３は、異常を示すＨ信号を出力する。電流検出部１２により検出された直流母線の電流値の周期は、電源周波数ｆの２倍になる。よって、判断部１４は、Ｙ結線が欠相していると判断する。
【００３３】
図４（ａ）のＮｏ．２は、Ｙ結線側のＲ１相またはＳ１相が欠相した場合を示している。Ｎｏ．２の場合、欠相検出部１３は、異常を示すＨ信号を出力する。電流検出部１２により検出された直流母線の電流値の周期は、電源周波数ｆの２倍になる。よって、判断部１４は、Ｙ結線が欠相していると判断する。
【００３４】
図４（ａ）のＮｏ．３は、Δ結線側のＴ２相が欠相した場合を示している。Ｎｏ．３の場合、欠相検出部１３は、正常を示すＬ信号を出力する。電流検出部１２により検出された直流母線の電流値の周期は、電源周波数ｆの２倍になる。よって、判断部１４は、Δ結線が欠相していると判断する。
【００３５】
図４（ａ）のＮｏ．４は、Δ結線側のＲ２相またはＳ２相が欠相した場合を示している。Ｎｏ．４の場合、欠相検出部１３は、正常を示すＬ信号を出力する。電流検出部１２により検出された直流母線の電流値の周期は、電源周波数ｆの２倍になる。よって、判断部１４は、Δ結線が欠相していると判断する。
【００３６】
図４（ａ）のＮｏ．５は、Ｙ結線側のＴ１相およびΔ結線側のＴ２相が欠相した場合を示している。Ｎｏ．５の場合、欠相検出部１３は、異常を示すＨ信号を出力する。電流検出部１２により検出された直流母線の電流値の周期は、電源周波数ｆの２倍になる。よって、判断部１４は、Ｙ結線が欠相していると判断する。なお、Ｎｏ．５の場合、Δ結線も欠相しているため、Ｙ結線の欠相を正常な状態に戻したあと、再度、判断処理を行った場合、Ｎｏ．３と同様な状況になり、判断部１４は、Δ結線が欠相していると判断する。
【００３７】
図４（ａ）のＮｏ．６は、Ｙ結線側のＲ１相およびΔ結線側のＲ２相が欠相した場合または、Ｙ結線側のＳ１相およびΔ結線側のＳ２相が欠相した場合を示している。Ｎｏ．６の場合、欠相検出部１３は、異常を示すＨ信号を出力する。電流検出部１２により検出された直流母線の電流値の周期は、電源周波数ｆの２倍になる。よって、判断部１４は、Ｙ結線が欠相していると判断する。なお、Ｎｏ．６の場合、Δ結線も欠相しているため、Ｙ結線の欠相を正常な状態に戻したあと、再度、判断処理を行った場合、Ｎｏ．４と同様な状況になり、判断部１４は、Δ結線が欠相していると判断する。
【００３８】
図４（ａ）のＮｏ．７は、Ｙ結線およびΔ結線に欠相が生じていない正常な場合を示している。Ｎｏ．７の場合、欠相検出部１３は、正常を示すＬ信号を出力する。電流検出部１２により検出された直流母線の電流値の周期は、電源周波数ｆの１２倍になる。よって、判断部１４は、Ｙ結線およびΔ結線に欠相が生じておらず正常であると判断する。
【００３９】
図４（ｂ）のＮｏ．１は、Ｙ結線側のＴ１相が欠相した場合を示している。Ｎｏ．１の場合、欠相検出部１３は、正常を示すＬ信号を出力する。電流検出部１２により検出された直流母線の電流値の周期は、電源周波数ｆの２倍になる。よって、判断部１４は、Ｙ結線が欠相していると判断する。
【００４０】
図４（ｂ）のＮｏ．２は、Ｙ結線側のＲ１相またはＳ１相が欠相した場合を示している。Ｎｏ．２の場合、欠相検出部１３は、正常を示すＬ信号を出力する。電流検出部１２により検出された直流母線の電流値の周期は、電源周波数ｆの２倍になる。よって、判断部１４は、Ｙ結線が欠相していると判断する。
【００４１】
図４（ｂ）のＮｏ．３は、Δ結線側のＴ２相が欠相した場合を示している。Ｎｏ．３の場合、欠相検出部１３は、異常を示すＨ信号を出力する。電流検出部１２により検出された直流母線の電流値の周期は、電源周波数ｆの２倍になる。よって、判断部１４は、Δ結線が欠相していると判断する。
【００４２】
図４（ｂ）のＮｏ．４は、Δ結線側のＲ２相またはＳ２相が欠相した場合を示している。Ｎｏ．４の場合、欠相検出部１３は、異常を示すＨ信号を出力する。電流検出部１２により検出された直流母線の電流値の周期は、電源周波数ｆの２倍になる。よって、判断部１４は、Δ結線が欠相していると判断する。
【００４３】
図４（ｂ）のＮｏ．５は、Ｙ結線側のＴ１相およびΔ結線側のＴ２相が欠相した場合を示している。Ｎｏ．５の場合、欠相検出部１３は、異常を示すＨ信号を出力する。電流検出部１２により検出された直流母線の電流値の周期は、電源周波数ｆの２倍になる。よって、判断部１４は、Δ結線が欠相していると判断する。なお、Ｎｏ．５の場合、Ｙ結線も欠相しているため、Δ結線の欠相を正常な状態に戻したあと、再度、判断処理を行った場合、Ｎｏ．１と同様な状況になり、判断部１４は、Ｙ結線が欠相していると判断する。
【００４４】
図４（ｂ）のＮｏ．６は、Ｙ結線側のＲ１相およびΔ結線側のＲ２相が欠相した場合または、Ｙ結線側のＳ１相およびΔ結線側のＳ２相が欠相した場合を示している。Ｎｏ．６の場合、欠相検出部１３は、異常を示すＨ信号を出力する。電流検出部１２により検出された直流母線の電流値の周期は、電源周波数ｆの２倍になる。よって、判断部１４は、Δ結線が欠相していると判断する。なお、Ｎｏ．６の場合、Ｙ結線も欠相しているため、Δ結線の欠相を正常な状態に戻したあと、再度、判断処理を行った場合、Ｎｏ．２と同様な状況になり、判断部１４は、Ｙ結線が欠相していると判断する。
【００４５】
図４（ｂ）のＮｏ．７は、Ｙ結線およびΔ結線に欠相が生じていない正常な場合を示している。Ｎｏ．７の場合、欠相検出部１３は、正常を示すＬ信号を出力する。電流検出部１２により検出された直流母線の電流値の周期は、電源周波数ｆの１２倍になる。よって、判断部１４は、Ｙ結線およびΔ結線に欠相が生じておらず正常であると判断する。
【００４６】
ここで、上述した図４（ａ）のＮｏ．１の状況における判断部１４の動作について説明する。図５は、欠相検出部１３がＹ結線側に接続されており、Ｙ結線側のＴ１相が欠相した場合における信号波形を示す。図５（ａ）は、Ｙ結線側の電圧波形を示している。また、図５（ａ）中のＶＲ１は、Ｙ結線側のＲ１相の電圧波形を示し、図５（ａ）中のＶＳ１は、Ｙ結線側のＳ１相の電圧波形を示し、図５（ａ）中のＶＴ１は、Ｙ結線側のＴ１相の電圧波形を示している。図５（ｂ）は、Δ結線側の電圧波形を示している。また、図５（ｂ）中のＶＲ２は、Δ結線側のＲ２相の電圧波形を示し、図５（ｂ）中のＶＳ２は、Δ結線側のＳ２相の電圧波形を示し、図５（ｂ）中のＶＴ２は、Δ結線側のＴ２相の電圧波形を示している。
【００４７】
判断部１４は、図５（ｃ）に示すように、欠相検出部１３から入力された検出信号Ｓ１が閾値ｔｈを超えているため、当該検出信号Ｓ１からＹ結線に欠相が生じていると判断する。また、判断部１４は、図５（ｄ）に示すように、電流検出部１２により検出された直流母線の電流値の周期Ｐが電源周波数ｆの２倍になっているので、異常と判断する。よって、判断部１４は、Ｙ結線が欠相していると判断する。
【００４８】
つぎに、上述した図４（ｂ）のＮｏ．１の状況における判断部１４の動作について説明する。図６は、欠相検出部１３がΔ結線側に接続されており、Ｙ結線側のＴ１相が欠相した場合における信号波形を示す。図６（ａ）は、Ｙ結線側の電圧波形を示している。また、図６（ａ）中のＶＲ１は、Ｙ結線側のＲ１相の電圧波形を示し、図６（ａ）中のＶＳ１は、Ｙ結線側のＳ１相の電圧波形を示し、図６（ａ）中のＶＴ１は、Ｙ結線側のＴ１相の電圧波形を示している。図６（ｂ）は、Δ結線側の電圧波形を示している。また、図６（ｂ）中のＶＲ２は、Δ結線側のＲ２相の電圧波形を示し、図６（ｂ）中のＶＳ２は、Δ結線側のＳ２相の電圧波形を示し、図６（ｂ）中のＶＴ２は、Δ結線側のＴ２相の電圧波形を示している。
【００４９】
判断部１４は、図６（ｃ）に示すように、欠相検出部１３から入力された検出信号Ｓ１が閾値ｔｈを超えていないため、当該検出信号Ｓ１からΔ結線が正常であると判断する。また、判断部１４は、図６（ｄ）に示すように、電流検出部１２により検出された直流母線の電流値の周期Ｐが電源周波数ｆの２倍になっているので、異常と判断する。よって、判断部１４は、Ｙ結線が欠相していると判断する。
【００５０】
つぎに、上述した図４（ａ）のＮｏ．７の状況における判断部１４の動作について説明する。図７は、欠相検出部１３がΔ結線側に接続されており、Ｙ結線およびΔ結線に欠相が生じていない場合における信号波形を示す。図７（ａ）は、Ｙ結線側の電圧波形を示している。また、図７（ａ）中のＶＲ１は、Ｙ結線側のＲ１相の電圧波形を示し、図７（ａ）中のＶＳ１は、Ｙ結線側のＳ１相の電圧波形を示し、図７（ａ）中のＶＴ１は、Ｙ結線側のＴ１相の電圧波形を示している。図７（ｂ）は、Δ結線側の電圧波形を示している。また、図７（ｂ）中のＶＲ２は、Δ結線側のＲ２相の電圧波形を示し、図７（ｂ）中のＶＳ２は、Δ結線側のＳ２相の電圧波形を示し、図７（ｂ）中のＶＴ２は、Δ結線側のＴ２相の電圧波形を示している。
【００５１】
判断部１４は、図７（ｃ）に示すように、欠相検出部１３から入力された検出信号Ｓ１が閾値ｔｈを超えていないため、当該検出信号Ｓ１からΔ結線が正常であると判断する。また、判断部１４は、図７（ｄ）に示すように、電流検出部１２により検出された直流母線の電流値の周期Ｐが電源周波数ｆの１２倍になっているので、正常と判断する。よって、判断部１４は、Ｙ結線およびΔ結線に欠相が生じておらず正常であると判断する。
【００５２】
よって、コンバータ装置１は、コンバータ回路部１１に接続されている直流母線の電流を検出する電流検出部１２と、Δ結線側またはＹ結線側に接続され、接続されている結線に欠相が生じているかどうかを検出する欠相検出部１３と、欠相検出部１３により検出された検出信号と、電流検出部１２により検出された直流母線の電流値とに基づいて、Δ結線またはＹ結線に欠相が生じていると判断された場合または、Δ結線およびＹ結線に欠相が生じていないと判断された場合、当該判断結果を出力する出力部１５とを備えるので、欠相が生じた場合、Δ結線側で欠相が生じているのかまたは、Ｙ結線側で欠相が生じているのかを出力部１５から出力することができる。
【００５３】
また、コンバータ装置１は、欠相検出部１３により検出された検出信号と、電流検出部１２により検出された直流母線の電流値とに基づいて、Δ結線またはＹ結線に欠相が生じていることまたは、Δ結線およびＹ結線に欠相が生じていないことを判断する判断部１４を備えるので、欠相が生じた場合、Δ結線側で欠相が生じているのかまたは、Ｙ結線側で欠相が生じているのかを判断することができる。
【００５４】
また、コンバータ装置１は、電流検出部１２により検出された直流母線の電流値の周期が電源周波数ｆの１２倍になっていない場合、すなわち電源周期の２倍になっている場合には、欠相検出部１３により検出された検出信号に基づいて、Δ結線またはＹ結線に欠相が生じていることを判断することができる。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１  コンバータ装置、２  １２相整流用トランス、３  表示部、１１  コンバータ回路部、１２  電流検出部、１３  欠相検出部、１４  判断部、１５  出力部、１６  平滑コンデンサ、２１  降圧部、２２  整流部、２３  フォトカプラ、２３ａ  発光ダイオード、２３ｂ  フォトトランジスタ、２４  フィルタ部、２５  欠相検出部。
【要約】
１２相整流用トランス２のΔ結線とＹ結線との２系統から供給される交流電圧を直流電圧に変換するコンバータ回路部１１と、コンバータ回路部１１に接続されている直流母線の電流を検出する電流検出部１２と、Δ結線側またはＹ結線側に接続され、接続されている結線に欠相が生じているかどうかを検出する欠相検出部１３と、欠相検出部１３により検出された検出信号と、電流検出部１２により検出された直流母線の電流値とに基づいて、Δ結線またはＹ結線に欠相が生じていることが検出された場合には、Δ結線またはＹ結線に欠相が生じていることを出力する出力部１５とを備える。欠相が生じた場合、Δ結線側で欠相が生じているのかまたは、Ｙ結線側で欠相が生じているのかを出力することができる。【図１】
0005985126.tif 000002
【図２】
0005985126.tif 000003
【図３】
0005985126.tif 000004
【図４】
0005985126.tif 000005
【図５】
0005985126.tif 000006
【図６】
0005985126.tif 000007
【図７】
0005985126.tif 000008